【手続補正書】
【提出日】平成18年2月6日(2006.2.6)
【手続補正１】
【補正対象書類名】特許請求の範囲
【補正対象項目名】全文
【補正方法】変更
【補正の内容】
【特許請求の範囲】
【請求項１】
歯科用の手持ち器具であって、第１の機能ユニット（Ｆ１／１）を有しており、該機能ユニットが機能部分（１）、グリップ部分（３）、媒体、例えばエア、水、電流、光及び／又は信号のための供給部分（Ｖ１〜Ｖ４）の接続用の接続アダプター（４）を含んでおり、かつ第１の機能ユニット（Ｆ１／１）に配置された第２の機能ユニット（Ｆ１／２）を有している形式のものにおいて、
第１の機能ユニット（Ｆ１／１）が、周面側で閉じられた外側ケーシング（２０）を有しており、該外側ケーシングが外側ケーシングの内部の側へ向けて引っ込められた状態で設けられた、少なくとも１つの媒体支持体（５，２２，２８，３１，３６，４１，４８，４９，５０，５４）の少なくとも部分的な受容のための切欠き部（９）を備えており、
第２の機能ユニット（Ｆ１／２）が、媒体及び／又は信号を伝達する通路（６，７，８，２３，２９，３３，４０，４３，５１乃至５３）のための少なくとも１つの媒体支持体（５，２２，２８，３１，３６，４１，４８，４９，５０，５４）を含んでおり、
媒体支持体（５，２２，２８，３１，３６，４１，４８，４９，５０，５４）が、該媒体支持体の連結状態で少なくとも部分的にほぼグリップ本体（３，４６）の外周輪郭を継続するように形成されており、
かつ第２の機能ユニット（Ｆ１／２）が前記グリップ本体に沿って延びていることを特徴とする歯科用の手持ち器具。
【請求項２】
第１の機能ユニット（Ｆ１／１）及び第２の機能ユニット（Ｆ１／２）が、解除可能な結合部のための保持手段（１１，１３，１４）を有している請求項１記載の歯科用の手持ち器具。
【請求項３】
第２の機能ユニット（Ｆ１／２）の媒体支持体が、第１の機能ユニット（Ｆ１／１）の接続アダプター（４）に作用結合されており、特に第２の機能ユニット（Ｆ１／２）によって必要な媒体及び／又は信号が接続アダプター（４）と第２の機能ユニット（Ｆ１／２）との間の互いに適合して形成された伝達箇所を介して伝達されるようになっている請求項１から２のいずれか１項記載の歯科用の手持ち器具。
【請求項４】
第２の機能ユニット（Ｆ１／２）の媒体支持体が、第２の機能ユニット（Ｆ１／２）によって必要な媒体及び／又は信号のための、接続アダプター（４）に依存しない伝達箇所を有している請求項１から３のいずれか１項記載の歯科用の手持ち器具。
【請求項５】
第１の機能ユニット（Ｆ１／１）が一方の端部に歯科用の工具（２，２６）のための受容手段を備えたヘッド部分（１）を含み、かつ他方の端部に接続アダプター（４）並びに工具に対するエネルギー（Ｐ１）及び／又は信号の伝達のための手段を含んでいて、工具及び操作に関連して独立した１つの構成ユニットである請求項１から４のいずれか１項記載の歯科用の手持ち器具。
【請求項６】
媒体支持体（５，２２，２８，３１，３６，４１，４８，４９，５０，５４）が、トラフ状の成形部分として形成されており、成形部分がグリップ本体（３）に沿って延びていて、成形部分の凹部内に媒体通路及び／又は信号通路及び／又は表示部材（６，７，８，２３，２９，３０，３２，３３，３９，４０，４３，５１，５２，５３，５５）を保持している請求項１から５のいずれか１項記載の歯科用の手持ち器具。
【請求項７】
成形部分が、媒体通路及び／又は信号通路及び／又は表示部材（７，８，５５）の解除可能な保持のための手段（１６）、有利には締め付け部材（１６）を含んでいる請求項６記載の歯科用の手持ち器具。
【請求項８】
媒体支持体（５）内の媒体のための通路（７，８）が、機能部分（１）と逆の側の端部で挿入部分（１７）を介して半径方向の連結部を用いて接続部分（４）内の媒体供給通路に接続されている請求項１から７のいずれか１項記載の歯科用の手持ち器具。
【請求項９】
少なくとも１つの媒体支持体（５）が、機能部分（１）と逆の側の端部に突出したピン（１２）を有しており、該ピンの端面まで通路（６）が延びており、第１の機能ユニット（Ｆ１／１）の接続アダプター（４）が相応に形成された切欠き部（１３）を有しており、該切欠き部内に前記ピン（１２）が差し込まれるようになっており、該ピンの差し込まれた状態で作用結合部が媒体及び／又は信号の伝達部を形成している請求項１から８のいずれか１項記載の歯科用の手持ち器具。
【請求項１０】
媒体支持体（２８）がヘッド部分（１，２５）に隣接して接点手段若しくはセンサー手段（２７）を含んでおり、該接点手段若しくはセンサー手段が工具（２６）との接触によって若しくは無接触式に信号を受信するようになっており、該信号が、媒体支持体内に配置された信号通路（２９）を介して伝達されるようになっており、該信号通路の端部が接点（３０）に接続されており、該接点が連結状態で接続アダプター（４）内の対向接点と合致している請求項１から９のいずれか１項記載の歯科用の手持ち器具。
【請求項１１】
センサー手段（２７）を設けてあり、該センサー手段が、機能部分（１，２５）内に支承された工具（２，２６）の運動、特に回転運動若しくは回転方向を検出するようになっている請求項１０記載の歯科用の手持ち器具。
【請求項１２】
媒体支持体（５，２８，３１，３６，４１，４８，４９，５０，５４）の少なくとも一部分が弾性的に形成されている請求項１から１１のいずれか１項記載の歯科用の手持ち器具。
【請求項１３】
媒体支持体（３１）が案内管を含んでおり、該案内管の、ヘッド部分と逆の側の端部（３４）が洗い流し液体の供給のための外部のチューブ（３５）に接続できるように形成されている請求項１から１２のいずれか１項記載の歯科用の手持ち器具。
【請求項１４】
媒体支持体（５）が、グリップ部分（３）に被せ嵌められた保持リング（１４）を用いて固定されるようになっている請求項１から１３のいずれか１項記載の歯科用の手持ち器具。
【請求項１５】
媒体支持体（５）が、機能部分（１）の領域に設けられた対向面（１１）及び他方でグリップ部分（３）の、機能部分（１）と逆の側の端部に配置された締め付けリング（２４）を用いて固定されるようになっている請求項１から１３のいずれか１項記載の歯科用の手持ち器具。
【請求項１６】
媒体支持体及びグリップ部分（３）が、殊に切欠き部（９）の領域にセルフロックの手段を含んでいる請求項１から１４のいずれか１項記載の歯科用の手持ち器具。
【請求項１７】
媒体支持体（３６）が、混合物の受容のための容器（３７）並びに該容器（３７）内に通じかつ該容器から延びる、液体のための管路（３９，４０）を含んでいる請求項１から１６のいずれか１項記載の歯科用の手持ち器具。
【請求項１８】
媒体支持体（４１）が電気的な供給源（４５）のための受容部（４４）並びに、媒体支持体（４１）の端面に配置された発光手段（４２）から該媒体支持体内に配置された前記供給源（４５）へ延びる供給通路（４３）を含んでいる請求項１から１７のいずれか１項記載の歯科用の手持ち器具。
【請求項１９】
第１の媒体支持体（５４）を設けてあり、該媒体支持体が表示手段（５５）を含んでおり、表示手段がセンサー手段（２７）と協働するようになっており、センサー手段が必要に応じて第２の媒体支持体（２８）内に配置されている請求項１から１８のいずれか１項記載の歯科用の手持ち器具。
【請求項２０】
媒体支持体（５６）が、圧力負荷された媒体通路（５７）からケーシング（２０）へ向かって分岐する洗い流し開口部（５８）を備えている請求項１から１９のいずれか１項記載の歯科用の手持ち器具。